(57)【要約】  容積調整可能な手動式蘇生バッグアセンブリであって、蘇生バッグと、容積制御つまみと、その制御つまみの調整に応じて作動する駆動アセンブリと、前記バッグの圧縮により排出される気体の容積を調整及び制限するために駆動アセンブリの作動に連動して移動する圧縮制限部材及び従動部材を含む従動アセンブリとを備える。
2010537782.tif 000002
【特許請求の範囲】
【請求項１】
(ａ)基端に気体出入口が設けられた密閉状の内部室を有し、先端での圧縮に応じた容積の空気を排出するように手動で圧縮可能な蘇生バッグと、
(ｂ)前記内部室に配設された、軸方向に移動可能な容積調整アセンブリであって、バッグ圧縮停止部材と該圧縮停止部材に取り付けられ且つそこから基端側へ延びる従動部とを含む従動アセンブリを有する容積調整アセンブリと、
(ｃ)前記蘇生バッグの基端ないしその近傍に取り付けられた回転移動可能な容積制御部材と、該容積制御部材と協働し、容積制御部材の回転に連動して、前記従動アセンブリに接触しながら該従動アセンブリを移動させるように構成された駆動アセンブリと、
(ｄ)前記気体出入口を介して前記内部室に連通し、前記蘇生バッグから、その圧縮に応じた容積の空気を導く気体導出入パイプと、
を備えていることを特徴とする手動式蘇生バッグアセンブリ。
【請求項２】
請求項２記載の手動式蘇生バッグアセンブリにおいて、
前記駆動アセンブリは、互いの間に少なくとも一つの細長のスロットを形成する複数のシャフトを有するガイド部材を含み、
前記従動部は、前記少なくとも一つのスロットに受け入れられる少なくとも一つの突部を含み、
前記シャフトの移動によって、前記従動部を前記ガイド部材に沿って移動させることを特徴とする手動式蘇生バッグアセンブリ。
【請求項３】
請求項１記載の手動式蘇生バッグアセンブリにおいて、
前記駆動アセンブリは、前記従動部と協働して該従動部を軸方向に移動させるように構成された静止状態の駆動部を含むことを特徴とする手動式蘇生バッグアセンブリ。
【請求項４】
請求項３記載の手動式蘇生バッグアセンブリにおいて、
前記従動部は、前記駆動アセンブリと協働して、前記容積制御部材の回転に連動して回転するように構成され、
前記従動部及び前記駆動部は、互いに接触するとともに、ガイド部材の回転に連動して、該従動部を軸方向に移動させるように構成されていることを特徴とする手動式蘇生バッグアセンブリ。
【請求項５】
請求項４記載の手動式蘇生バッグアセンブリにおいて、
前記従動部は、螺旋状案内部を有しており、
前記駆動部材は、前記螺旋状案内部と協働して、前記容積制御部材の回転に連動して、前記従動部を軸方向に移動させることを特徴とする手動式蘇生バッグアセンブリ。
【請求項６】
請求項５記載の手動式蘇生バッグアセンブリにおいて、
前記螺旋状案内部は、螺旋状凹部を有しており、
前記駆動部は、前記螺旋状凹部に受け入れられる少なくとも一つの突起部を有していることを特徴とする手動式蘇生バッグアセンブリ。
【請求項７】
請求項６記載の手動式蘇生バッグアセンブリにおいて、
前記従動部は、円筒状スリーブを有しており、
前記螺旋状案内部は、前記円筒状スリーブの内面に沿って形成されていることを特徴とする手動式蘇生バッグアセンブリ。
【請求項８】
請求項７記載の手動式蘇生バッグアセンブリにおいて、
前記駆動部材は、円筒状スリーブ内にて延びる細長の静止状態のシャフトを有し、該シャフトによって、前記容積制御部材の回転が、前記従動部の回転と、該従動部の前記駆動部材に沿った軸方向の移動とを生じさせるように構成されていることを特徴とする手動式蘇生バッグアセンブリ。
【請求項９】
請求項３記載の手動式蘇生バッグアセンブリにおいて、
前記従動部は、外面に沿って螺旋状案内部を形成してなる円筒状スリーブを有し、
前記駆動アセンブリは、前記従動部の外面に沿って延び且つ前記螺旋状案内部に受け入れられる少なくとも一つの突起部を含む細長の駆動部材を有していることを特徴とする手動式蘇生バッグアセンブリ。
【請求項１０】
請求項９記載の手動式蘇生バッグアセンブリにおいて、
前記細長の駆動部材は、前記容積制御部材の回転に連動して回転可能に構成されており、
前記従動部は、前記容積制御部材の回転に連動して、ガイド部材に沿って軸方向に移動するように構成されていることを特徴とする手動式蘇生バッグアセンブリ。
【請求項１１】
請求項１記載の手動式蘇生バッグアセンブリにおいて、
前記バッグ圧縮停止部材は、板材からなることを特徴とする手動式蘇生バッグアセンブリ。
【請求項１２】
請求項１記載の手動式蘇生バッグアセンブリにおいて、
前記容積調整部材を選択的にロックするためのロック部材を備えていることを特徴とする手動式蘇生バッグアセンブリ。
【請求項１３】
請求項１２記載の手動式蘇生バッグアセンブリにおいて、
前記ロック部材は、ロックのためのバイアスばねであって、前記容積制御部材を選択的にアンロックするために伸縮自在に構成されていることを特徴とする手動式蘇生バッグアセンブリ。
【請求項１４】
請求項１記載の手動式蘇生バッグアセンブリにおいて、
前記気体出入口に接続される第１端を有するフレキシブル・チューブと、
前記フレキシブルチューブの第２端に取り付けられる患者接続部と、を備えていることを特徴とする手動式蘇生バッグアセンブリ。
【請求項１５】
請求項１４記載の手動式蘇生バッグアセンブリにおいて、
前記気体導出入パイプと協働する圧力リリーフ弁を備えていることを特徴とする手動式蘇生バッグアセンブリ。
【請求項１６】
請求項１４記載の手動式蘇生バッグアセンブリにおいて、
前記患者接続部と協働する一方向非再呼吸弁を備えていることを特徴とする手動式蘇生バッグアセンブリ。
【請求項１７】
請求項１記載の手動式蘇生バッグアセンブリにおいて、
前記蘇生バッグは、その先端より圧縮可能なベローズ型のバッグからなることを特徴とする手動式蘇生バッグアセンブリ。
【請求項１８】
(ａ)基端に気体出入口が設けられた密閉状の内部室を有し、先端の圧縮に応じた容積の空気を排出するように手動で圧縮可能な蘇生バッグと、
(ｂ)前記内部室に配設され、前記蘇生バッグの軸方向の圧縮を制限する構成部材を有するとともに、前記蘇生バッグの先端と基端との間で延びる軸に沿って移動可能に構成された容積調整アセンブリと、
(ｃ)前記蘇生バッグの基端の近傍に取り付けられた回転可能な容積制御部材と、
(ｄ)前記容積制御部材の回転に連動して前記蘇生バッグの手動による圧縮を選択的に制限するために、前記容積制御部材及び前記容積調整アセンブリと協働して、該容積調整アセンブリを前記軸に沿って移動させる駆動手段と、
(ｅ)前記気体出入口を介して前記内部室に連通し、前記蘇生バッグから、その圧縮に応じた容積の空気を導く気体導出入パイプと、
を備えていることを特徴とする手動式蘇生バッグアセンブリ。
【請求項１９】
請求項１８記載の手動式蘇生バッグアセンブリにおいて、
前記駆動手段は、前記容積制御部材の回転に連動して、前記容積調整アセンブリを前記軸に沿って進ませるように構成された駆動アセンブリを有していることを特徴とする手動式蘇生バッグアセンブリ。
【請求項２０】
請求項１９記載の手動式蘇生バッグアセンブリにおいて、
前記容積調整アセンブリは、前記容積制御部材の回転に連動して、前記蘇生バッグの圧縮可能な容積を増加又は減少させるように移動する容積調整部材に取り付けられた従動部材を有していることを特徴とする手動式蘇生バッグアセンブリ。
【請求項２１】
請求項２０記載の手動式蘇生バッグアセンブリにおいて、
前記蘇生バッグは、その先端より圧縮可能なベローズ型のバッグからなることを特徴とする手動式蘇生バッグアセンブリ。
【発明の詳細な説明】
【技術分野】
【０００１】
本発明は、容積調整可能な手動式蘇生バッグアセンブリに関する技術分野に属する。
【背景技術】
【０００２】
手動式蘇生バッグの容積制御は、目下のところ、市販の入手可能な手動式蘇生器具には見られない重要な特徴である。容積制御及び容積調整は、とりわけ重要であり、幼児の蘇生、特に新生児の患者の治療において非常に重要である。典型的な幼児及び新生児の蘇生バッグは、約１００ｍｌの容積（容量）を有しているが、非常に小さい肺活量を持った患者（乳児及び出生前の患者等）に対して供給される気体容量は、約１００ｍｌ未満、例えば、バッグ圧縮毎に１０ｍｌから約６０ｍｌまでの間、又は、約２０ｍｌから約８０ｍｌまでの間の値に制限されることが望ましい。
【発明の概要】
【発明が解決しようとする課題】
【０００３】
本発明の目的は、容積調整可能な手動式蘇生バッグアセンブリを提供することにある。
【課題を解決するための手段】
【０００４】
以下の説明は、蘇生バッグの圧縮毎に患者に供給される気体の容積を、オペレータが選択及び調整可能な構成要素を備えた手動式蘇生バッグ装置に関するものである。好ましい実施形態では、蘇生バッグは、約１２０ｍｌの総容積を持つベローズ型ないしアコーディオン型のものである。前記バッグは、オペレータにより、その先端を基端へ向かって押圧されることで圧縮される。
【０００５】
前記容積選択及び調整可能な構成要素は、前記バッグの外面、好ましくは該バッグの先端に取り付けられた回転可能な容積制御部材と、前記バッグ内に配設される容積調整要素とを含んでいる。好ましい実施形態において、前記容積調整要素は、バッグ圧縮停止部材とバッグ内において先端から基端に向かって軸方向に移動可能な従動部とを有する従動アセンブリと、前記容積制御部材と協働して、該容積制御部材の回転に連動して前記従動アセンブリを移動させるための駆動アセンブリ要素とを有している。
【０００６】
第一の好ましい実施形態において、前記従動アセンブリは、前記容積制御部材に取り付けられた回転可能なガイド部材により回転される。前記従動アセンブリは、従動部を軸方向に進ませるために該従動アセンブリに形成された螺旋状案内部と協働する駆動部に連動して軸方向に移動する。前記ガイド部材はまた、前記駆動部と協働して前記従動アセンブリを支持する。
【０００７】
第二の好ましい実施形態において、前記従動アセンブリは、前記容積制御部材に取り付けられた回転可能な駆動部によって、回転はしないが軸方向に進み、その駆動部は、前記従動アセンブリに形成された螺旋状案内部と協働する。静止状態のガイド部材が、従動アセンブリと協働して、その軸方向の移動を補助する。このガイド部材はまた、前記駆動部と協働して、バッグ内において従動アセンブリを支持する。
【０００８】
前記装置の各種構成要素、構成、アセンブリ、及び動作のさらなる特徴は、以下の実施形態において詳細に説明する。
【図面の簡単な説明】
【０００９】
【図１】手動式蘇生バッグアセンブリを基端側から見た斜視図である。
【図２】手動式蘇生バッグアセンブリを先端側から見た斜視図である。
【図３】容積制御アセンブリの分解組立図である。
【図４】容積制御及び調整アセンブリの内部構成要素を示す基端側から見た断面図である。
【図５】容積制御及び調整アセンブリの内部構成要素を示す先端側から見た断面図である。
【図６】容積調整アセンブリの他の特徴を示す斜視図である。
【発明を実施するための形態】
【００１０】
図１及び図２は、好ましい手動式蘇生バッグアセンブリの各構成要素を示す外観図である。図示された主要な構成要素は、蘇生バッグ１０と、圧力リリーフ弁アセンブリ２２と、非再呼吸弁アセンブリ２４と、延長チューブ２６と、を含む。本装置の患者側端（すなわち、基端）には、非再呼吸弁アセンブリ２４及び患者アダプタ２８が配置されている。患者を蘇生させる際には、通常、患者アダプタ２８に取り付けられる顔当てが用いられる。圧力リリーフ弁及び非再呼吸弁アセンブリの構成要素、構造及び動作についての詳しい説明は、ここでは省略する。延長チューブ２６は、可撓性であることが好ましく、例えば、波形の気体送出管を用いることができる。
【００１１】
蘇生バッグ１０は、図示の如く、自己膨張式ないし自己回復式のアコーディオン型ないしベローズ型のものであることが好ましい。前記バッグは、オペレータによって、先端にて基端（又は前方）へ向かって押圧されることで手動で圧縮され、それによって、気体が変位して患者へ導出される。前記バッグは、シリコン又はポリウレタンにより形成されることが好ましいが、ポリエチレン、ポリプロピレン又はポリ塩化ビニルのような他の材料を用いて形成することも可能である。後者の場合、望ましくない揮発性のガス状残留物を生じる可能性があるため、優先度としては最も低い。
【００１２】
図３〜図６に示すように、前記蘇生バッグの基端に、容積制御部材１２が回動可能に取り付けられている。その蘇生バッグの基端においては、ユーザが、容積制御部材１２を容易に視認し且つ選択的に回転することが可能である。容積制御部材の正面又は露出面には、異なる容積を示す選択用の目盛りと、伸縮自在な容積制御ロック３４と協働して、選択された容積制御部材の位置決めを行い且つ該容積制御部材の意図しない回転を防止するロック凹部又は回り止め１８が設けられている。
【００１３】
容積調整要素は、従動アセンブリと駆動アセンブリとを有している。この駆動アセンブリは、前記回転可能な容積制御部材１２に固定されて該容積制御部材１２から延びる一対のシャフト１１，１５を有し、これら一対のシャフト１１，１５は、細長のスロット１６を形成するために互いに離間している。従動アセンブリは、細長の突部１７が形成された円筒状スリーブ１４を含む従動部に固定された圧縮停止板１３を有している。また、図３及び図６に示すように、突部１７は、スロット１６に対して摺動可能に係合して、後述するように、容積調整アセンブリが回転したときに当該スロットに沿って移動可能になっている。前記一対のシャフト及びスロットは、前記蘇生バッグ内において、従動部１４を前側及び後側（基端側及び先端側）へと軸方向に移動させるためのガイドを形成する。
【００１４】
前記駆動アセンブリはまた、容積制御部材１２の回転に連動して、従動部１４と接触しながら該従動部と圧縮停止板１３とを移動させる駆動部を有している。この図示された実施形態では、この動作は、円筒状スリーブ１４の内面に螺旋溝又は螺旋状凹部の形態で形成された螺旋状案内部２７によって、駆動部アーム２１，２９の端部に設けられた突起部２３，２５との協働により制御される。前記駆動部アームは、気体導出入パイプ２０に固定されて該気体導出入パイプから延びている。駆動部アーム２１，２９は、静止していて、前記容積制御部材の回転によって動かされないようになっている。
【００１５】
前記動作時には、容積制御部材１２が回転するのに伴って、ガイド部材シャフト１１，１５が従動部１４を回転させ、そうして、スリーブが回転するのに伴って、また、螺旋状案内部が、静止状態の駆動アセンブリ要素に沿って移動するのに伴って、従動部が、基端側又は先端側へと軸方向に駆動される。このように、容積制御部材１２の回転は、圧縮停止板１３及び従動部１４の回転方向及び軸方向の移動を生じさせる。蘇生バッグの先端での圧縮により変位する気体の容積は、圧縮停止板１３と前記バッグの先端との間の距離で決まる。ユーザが容積を選択すると、圧縮停止板１３が、前記バッグの圧縮時において圧縮停止板と前記バッグの先端との間で変位する気体の容積に対応する位置まで軸方向に移動することになる。
【００１６】
前記図面及び前述の説明にて記載した構成に代えて、以下の構成を採用するようにしてもよい。すなわち、静止状態の駆動部が、従動部の外面に形成された螺旋状案内部と、該従動部内に延びてそれを回転させるガイド部材シャフトとによって、従動部の外面に接触しながら該従動部を作動させるものであってもよい。
【００１７】
さらに他の代替構造では、図示は省略するが、駆動アセンブリは、回転可能な容積制御部材に取り付けられて容積制御部材の回転によって回転する駆動部を有する。この駆動部は、従動部の外面に形成され且つ螺旋状案内部に受け入れられるか又は係合する突起部、歯部若しくは隆起部を備える。前記駆動部は、回転式のスリーブ、ガイドシャフト、アーム、又は、これと等価な構成要素（容積制御板に固定されて該容積制御板から延びるとともに、該容積制御板と共に回転することで従動アセンブリをバッグ内で軸方向の前側又は後側に移動させる要素）であればよい。前記駆動アセンブリはまた、気体導出入パイプに強固に固定された静止状態の軸方向ガイド部材を含む。このガイド部材は、従動部の内面に設けられた細長のスロットに受け入れられる突部又はこれと等価な部材を有するものであってもよい。或いは、従動部の内面に、前記ガイド部材に形成されたスロットに受け入れられる突部又は隆起部が設けられていてもよい。いずれにせよ、この後者の実施形態では、駆動部が回転する間に、バッグ内において従動アセンブリが回転せずに前側又は後側（基端側又は先端側）に移動する。
【００１８】
上述したように、容積制御ロック３４は、伸縮自在であって、圧縮スプリング３３によってロック位置にバイアス（偏倚）されることが好ましい。この圧縮スプリング３３は、オペレータが容積制御部材を回転して容積を選択した後の該容積制御部材の意図しない回転を防止するために、前記容積制御ロックをロック位置にて容積制御部材の表面に対して付勢する。
【００１９】
図１に示される好ましい実施形態では、オペレータは、容積制御部材１２に示された、１回毎のバッグ圧縮により排出される容積を、２０ｍｌから１２０ｍｌまでの範囲で、１０ｍｌ単位で選択し且つ調整することができる。しかし、これらの容積は一例として示したにすぎない。容積増加の調整量は、様々な手段、例えば、蘇生バッグのサイズを変更したり、螺旋状案内部のピッチを変更したり、容積調整要素の設計や構造（例えば、従動アセンブリの、容積制御部材の回転に連動して移動する距離、ガイドシャフトの長さ、及び／又は、圧縮停止板の位置）を変更したりすることで、バッグ総排出容積と同様に変更することができる。その他の変形例や変更態様（各構成要素の相互作用や配置等）は、本願明細書及び請求項等の範囲内で、当業者によって理解される。
【図１】
2010537782.tif 000003
【図２】
2010537782.tif 000004
【図３】
2010537782.tif 000005
【図４】
2010537782.tif 000006
【図５】
2010537782.tif 000007
【図６】
2010537782.tif 000008
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
基端に気体出入口が設けられた密閉状の内部室を有し、先端での圧縮に応じた容積の空気を排出するように手動で圧縮可能な蘇生バッグ(10)を備えた手動式蘇生バッグアセンブリであって、
前記蘇生バッグの外側にて移動可能な容積制御部材(12)と、
前記内部室に配設され、従動部(14)と前記蘇生バッグの軸方向の圧縮を制限するバッグ圧縮停止部材(13)とを有するとともに、前記容積制御部材と協働して、前記蘇生バッグの先端と基端との間で延びる軸に沿って移動可能に構成された容積調整アセンブリと、
前記容積制御部材の移動に連動して前記蘇生バッグの圧縮容積を選択的に制御するために、前記容積制御部材及び前記容積調整アセンブリと協働して、該容積調整アセンブリを前記軸に沿って移動させる駆動アセンブリと、
前記気体出入口を介して前記内部室に連通し、前記蘇生バッグから、その圧縮に応じた容積の空気を導く気体導出入パイプ(20)と、
を備えていることを特徴とする手動式蘇生バッグアセンブリ。
【請求項２】
請求項１記載の手動式蘇生バッグアセンブリにおいて、
前記駆動アセンブリは、互いの間に少なくとも一つの細長のスロット(16)を形成する複数のシャフト(11,15)を有するガイド部材を含み、
前記従動部(14)は、前記少なくとも一つのスロットに受け入れられる少なくとも一つの突部(17)を含み、
前記シャフトの移動によって、前記従動部を前記ガイド部材に沿って移動させることを特徴とする手動式蘇生バッグアセンブリ。
【請求項３】
請求項１記載の手動式蘇生バッグアセンブリにおいて、
前記駆動アセンブリは、前記従動部と協働して該従動部を軸方向に移動させるように構成された静止状態の駆動部を含むことを特徴とする手動式蘇生バッグアセンブリ。
【請求項４】
請求項３記載の手動式蘇生バッグアセンブリにおいて、
前記従動部(14)は、前記駆動アセンブリと協働して、前記容積制御部材の回転に連動して回転するように構成され、
前記従動部及び前記駆動部は、互いに接触するとともに、ガイド部材の回転に連動して、該従動部を軸方向に移動させるように構成されていることを特徴とする手動式蘇生バッグアセンブリ。
【請求項５】
請求項４記載の手動式蘇生バッグアセンブリにおいて、
前記従動部(14)は、螺旋状案内部(27)を有しており、
前記駆動部は、前記螺旋状案内部と協働して、前記容積制御部材の回転に連動して、前記従動部を軸方向に移動させることを特徴とする手動式蘇生バッグアセンブリ。
【請求項６】
請求項５記載の手動式蘇生バッグアセンブリにおいて、
前記螺旋状案内部(27)は、螺旋状凹部を有しており、
前記駆動部は、前記螺旋状凹部に受け入れられる少なくとも一つの突起部(23,25)を有していることを特徴とする手動式蘇生バッグアセンブリ。
【請求項７】
請求項６記載の手動式蘇生バッグアセンブリにおいて、
前記従動部は、円筒状スリーブを有しており、
前記螺旋状案内部は、前記円筒状スリーブの内面に沿って形成されていることを特徴とする手動式蘇生バッグアセンブリ。
【請求項８】
請求項７記載の手動式蘇生バッグアセンブリにおいて、
前記駆動部は、円筒状スリーブ内にて延びる細長の静止状態のシャフト(21)を有し、該シャフトによって、前記容積制御部材の回転が、前記従動部の回転と、該従動部の前記駆動部に沿った軸方向の移動とを生じさせるように構成されていることを特徴とする手動式蘇生バッグアセンブリ。
【請求項９】
請求項３記載の手動式蘇生バッグアセンブリにおいて、
前記従動部は、外面に沿って螺旋状案内部を形成してなる円筒状スリーブを有し、
前記駆動アセンブリは、前記従動部の外面に沿って延び且つ前記螺旋状案内部に受け入れられる少なくとも一つの突起部を含む細長の駆動部材を有していることを特徴とする手動式蘇生バッグアセンブリ。
【請求項１０】
請求項９記載の手動式蘇生バッグアセンブリにおいて、
前記細長の駆動部材は、前記容積制御部材の回転に連動して回転可能に構成されており、
前記従動部は、前記容積制御部材の回転に連動して、ガイド部材に沿って軸方向に移動するように構成されていることを特徴とする手動式蘇生バッグアセンブリ。
【請求項１１】
請求項１記載の手動式蘇生バッグアセンブリにおいて、
前記容積制御部材を選択的にロックするためのロック部材(34)を備えていることを特徴とする手動式蘇生バッグアセンブリ。
【請求項１２】
請求項１記載の手動式蘇生バッグアセンブリにおいて、
前記気体出入口に接続される第１端を有するフレキシブル・チューブ(26)と、
前記フレキシブルチューブの第２端に取り付けられる患者接続部(28)と、を備えていることを特徴とする手動式蘇生バッグアセンブリ。
【請求項１３】
請求項１２記載の手動式蘇生バッグアセンブリにおいて、
前記気体導出入パイプと協働する圧力リリーフ弁を備えていることを特徴とする手動式蘇生バッグアセンブリ。
【請求項１４】
請求項１２記載の手動式蘇生バッグアセンブリにおいて、
前記患者接続部と協働する一方向非再呼吸弁を備えていることを特徴とする手動式蘇生バッグアセンブリ。
【請求項１５】
請求項１記載の手動式蘇生バッグアセンブリにおいて、
前記蘇生バッグは、その先端より圧縮可能なベローズ型のバッグからなることを特徴とする手動式蘇生バッグアセンブリ。
【手続補正２】
【補正対象書類名】明細書
【補正対象項目名】０００５
【補正方法】変更
【補正の内容】
【０００５】
前記容積選択及び調整可能な構成要素は、前記バッグの外面、好ましくは該バッグの基端に取り付けられた回転可能な容積制御部材と、前記バッグ内に配設される容積調整要素とを含んでいる。好ましい実施形態において、前記容積調整要素は、バッグ圧縮停止部材とバッグ内において先端から基端に向かって軸方向に移動可能な従動部とを有する従動アセンブリと、前記容積制御部材と協働して、該容積制御部材の回転に連動して前記従動アセンブリを移動させるための駆動アセンブリ要素とを有している。
【国際調査報告】
2010537782.tif 000009
2010537782.tif 000010